(57)【要約】【課題】コンテンツの閲覧時に表示された通信先特定情報を指定すると、当該特定情報を電話帳データベースに直接登録可能とすること。【解決手段】インターネットを介して配信されるコンテンツの閲覧時に表示手段に表示された通信先特定情報を指定する特定情報指定手段Ｓ１，Ｓ２と、前記指定された通信先特定情報を電話帳データベースに登録可能とする電話帳登録手段Ｓ３〜Ｓ５とを備えた。【選択図】      図３
2004336587.tif 000002
【特許請求の範囲】
【請求項１】
インターネットを介して配信されるコンテンツが表示手段に表示されて閲覧可能であるとともに、通信先との間で情報の送受信を行う送受信機能付き電話機において、
前記コンテンツの閲覧時に前記表示手段に表示された通信先特定情報を指定する特定情報指定手段と、
前記指定された通信先特定情報を電話帳データベースに登録可能とする電話帳登録手段と、
を備えたことを特徴とする送受信機能付き電話機。
【請求項２】
請求項１に記載の送受信機能付き電話機において、
前記通信先特定情報は、電話番号情報、メールアドレス情報およびインターネットの接続先情報のいずれかの情報であることを特徴とする送受信機能付き電話機。
【請求項３】
請求項１に記載の送受信機能付き電話機において、
前記特定情報指定手段は、前記通信先特定情報を前記電話帳データベースに登録するか否かを指定するユーザからの信号を入力する入力手段と、この入力手段が入力した前記信号に基づいて前記登録を許可する登録許可手段とを備えたことを特徴とする送受信機能付き電話機。
【請求項４】
インターネットを介して配信されるコンテンツが表示手段に表示されて閲覧可能であるとともに、通信先との間で情報の送受信を行う送受信機能付き電話機に含まれるコンピュータを、
前記コンテンツの閲覧時に前記表示手段に表示された通信先特定情報を指定する特定情報指定手段、
前記指定された通信先特定情報を電話帳データベースに登録可能とする電話帳登録手段、
として機能させることを特徴とする送受信機能付き電話機用プログラム。
【請求項５】
請求項４記載の送受信機能付き電話機用プログラムが記録されていることを特徴とする情報記録媒体。
【発明の詳細な説明】
【０００１】
【発明の属する技術分野】
本発明は、インターネット接続サービスにおいて利用されるコンテンツ上に掲載されたメールアドレス、電話番号などをクリックすることにより、そのメールアドレス、電話番号などに発呼可能な電話機に関する。
【０００２】
【従来の技術】
相手先の名前および電話番号を互いに対応づけて格納した電話帳を記憶した固定電話機が知られている。このような電話機では、電話帳に記録された相手の名前を呼び出すことで、電話番号を入力することなく所定の相手に対して電話をかけることができる。
【０００３】
一方、最近、インターネットへ接続するためのモデムを搭載した固定電話機が開発されている（例えば、「Ｌモード」（ＮＴＴ東日本およびＮＴＴ西日本の提供するサービス）参照）。このような電話機では、電話機自体を端末として用いた電子メールの送受信が可能となる。
【０００４】
従来、特許文献１に開示された発明は、携帯電話端末によるアクセス時間を特定し、このアクセス時間に応じて選択した電話番号データを予め別に準備したコンテンツデータと組み合わせることで、電話を掛ける際の時間帯によって発呼先を切り替えることが可能なコンテンツを容易に構成するものである。
【０００５】
また、特許文献２に開示された発明は、クライアントのホームページを閲覧しているユーザーが、電話でのコミュニケーション用のアイコンをクリックする、あるいは電話番号を入力する等のことをすると、コミュニケーターからユーザーに公衆電話回線で電話し、あるいはインターネット電話での通話を開始する。コミュニケーターの端末には、ユーザーの閲覧しているホームページのクライアントに関するコンテンツを表示し、会話を開始した時点でユーザーの話題に対応できるようにする。
【特許文献１】
特開２００２−３３８４２
【特許文献２】
特開２００１−３２０５０３
【０００６】
【発明が解決しようとする課題】
ところで、上記特許文献１，２では、インターネット接続サービスにおいて利用されるコンテンツの閲覧時にメールアドレス、電話番号などが表示されると、その表示部分をクリックするとメールを送信することができたり、電話が掛けられたりする電話機があるが、これらの操作を再度実行する時は、操作ステップとして再度上記コンテンツにアクセスするか、上記電話番号の発信履歴にアクセスしなければならず、面倒で手間がかかるという課題があった。
【０００７】
そのため、上記メールアドレス、電話番号などを電話帳に登録しようとする場合にも同様に、再度上記コンテンツにアクセスするか、上記電話番号の発信履歴にアクセスする必要があり、登録操作に手間がかかるという課題があった。
【０００８】
本発明は、上記事情を考慮してなされたもので、その目的の一例としては、コンテンツの閲覧時に表示された通信先特定情報を指定すると、当該特定情報を電話帳データベースに直接登録可能な電子メールの送受信機能付き電話機を提供することを目的とする。
【０００９】
【課題を解決するための手段】
上記課題を解決するため、請求項１に記載の送受信機能付き電話機の発明は、インターネットを介して配信されるコンテンツが表示手段に表示されて閲覧可能であるとともに、通信先との間で情報の送受信を行う送受信機能付き電話機において、前記コンテンツの閲覧時に前記表示手段に表示された通信先特定情報を指定する特定情報指定手段と、前記指定された通信先特定情報を電話帳データベースに登録可能とする電話帳登録手段と、を備えたことを特徴とする。
【００１０】
また、請求項４に記載の送受信機能付き電話機用プログラムは、インターネットを介して配信されるコンテンツが表示手段に表示されて閲覧可能であるとともに、通信先との間で情報の送受信を行う送受信機能付き電話機に含まれるコンピュータを、前記コンテンツの閲覧時に前記表示手段に表示された通信先特定情報を指定する特定情報指定手段、前記指定された通信先特定情報を電話帳データベースに登録可能とする電話帳登録手段、として機能させることを特徴とする。
【００１１】
さらに、請求項５に記載の情報記録媒体の発明は、請求項４記載の送受信機能付き電話機用プログラムが記録されていることを特徴とする。
【００１２】
【発明の実施の形態】
以下、本願の実施形態について、図面を参照しながら説明する。
【００１３】
図１は、本実施形態の電話機（コードレス電話）の構成を示すブロック図、図２は、図１のメモリに記憶された電話帳データベースの構造を示す説明図である。なお、以下に説明する実施形態の電話機は、インターネットとの接続を可能とするモデムを備え、キースイッチからキー操作することにより電子メールの送受信などを実行することができるものである。
【００１４】
図１に示すように、本実施形態の電話機は、外線接続端子Ｌ１，Ｌ２に入力される外線着信信号および受信信号を検波する検波回路１と、電話機と外線との回線接続を制御する回線制御回路２と、この回線制御回路２を介して入力されてくる受信信号を後述する他の回路への送出や外線への送話信号の送出を行う通話回路３と、この通話回路３を介して入力されてくる受信信号や外線に送出する送話信号の音声処理を行うとともに、後述するＣＰＵに対してモデムとして機能するＤＳＰ（Ｄｉｇｉｔａｌ  Ｓｉｇｎａｌ  Ｐｒｏｃｅｓｓｏｒ）４と、図示しない子機との間でＭＣＡ（マルチ・チャンネル・アクセス）方式による無線通話回路を構成する無線送受信回路５と、子機との間で無線の送受信を行うアンテナ６と、回線制御回路２、通話回路３、ＤＳＰ４および無線送受信回路５に接続されて後述するような各回路の作動制御を行うＣＰＵ７と、このＣＰＵ７に接続されて電話番号，メールアドレス，ＵＲＬ（Ｕｎｉｆｏｒｍ  Ｒｅｓｏｕｒｃｅ  Ｌｏｃａｔｏｒ）アドレスを後述する電話帳データベースに登録するために操作する登録キー８ａおよび上記電話帳データベース内の電話番号、メールアドレス、ＵＲＬアドレスのいずれかを選択してアクセスする際に用いる発信キー８ｂを備える他、電話番号などのデータ入力や電話機操作を行うキースイッチ８と、ＣＰＵ７に接続されたドライバ９と、このドライバ９によって駆動される液晶パネルや有機ＥＬなどの表示手段としてのディスプレイ１０とを備えている。
【００１５】
また、ＣＰＵ７には、メモリＭが接続されており、このメモリＭには後述する電話帳データベースＤＢが格納されている。メモリＭは、例えばフラッシュメモリにより構成される。
【００１６】
なお、図１中、１１は外線接続端子Ｌ１，Ｌ２から入力されてくる外線着信信号を検出するリング回路であり、１２はこのリング回路１１による外線着信信号の検出によって呼出音を発生させるモニタスピーカであり、１３はオンフックモード時にハンズフリーによる通話を行うためのマイクであり、１４は子機を置いたままで通話するためのオンフックモードへの切り換えを行うオンフックスイッチである。
【００１７】
上記のように、本実施形態の電話機ではＣＰＵ７に対してモデムとして機能するＤＳＰ４などを介して、メールの送受信やＵＲＬの受信を実行することができる。メールの送受信に関する情報、例えば、送受信されたメール文章などの情報を記憶するメモリはメモリＭに含まれ、このメモリＭにメール文章などの情報を記憶する。また、本実施形態の電話機では、キースイッチ８の発信キー８ｂを操作することにより、インターネットを利用した各種情報の取得や、電子メールの送受信に関する動作の指示を行うことができる。さらに、ディスプレイ１０には、インターネットを利用した各種情報の取得や、電子メールの送受信に必要な情報が表示される。なお、図１の構成ではＤＳＰ４にモデム機能を担うようにしたが、モデムを別途設けるようにしてもよい。例えば、図１において検波回路１の出力にリレーなどのスイッチ回路を接続し、このスイッチ回路の出力側に回線制御回路２とモデムを並列接続するように構成する。モデムは例えば専用ＩＣを用いる。
【００１８】
次に、図２を参照して、本実施形態の電話機が備えているメモリＭに格納される電話帳データベースＤＢについて説明する。
【００１９】
電話帳には、ユーザの登録によって相手先を特定する名前、その読み仮名、通信先特定情報としての相手先の電話番号、相手先のメールアドレスおよびインターネットの接続先情報（ＵＲＬアドレス）を登録することができる。すなわち、電話帳データベースＤＢには、図２に示すように電話帳データアドレスが記録されるデータアドレスフィールドＦ１と、名前が記録される名前フィールドＦ２と、その読み仮名が記録される読み仮名フィールドＦ３と、電話番号が記録される電話番号フィールドＦ４と、メールアドレスが記憶されるメールアドレスフィールドＦ５と、ＵＲＬアドレスが記憶されるＵＲＬアドレスフィールドＦ６とを備える。
【００２０】
図２に示すように、各フィールドＦ２〜Ｆ６に記憶される名前、その読み仮名、電話番号、メールアドレスおよびＵＲＬアドレスは、それぞれ対応するデータアドレスフィールドＦ１のデータアドレス（０００１，０００２，０００３・・・）に記憶される。
【００２１】
次に、図３を参照して、本実施形態の電話機における電話帳の登録方法について説明する。
【００２２】
図３は、コンテンツの閲覧時にメールアドレス、電話番号などが表示されると、その表示部分をクリックしてアンカー選択（ハイライト表示による選択）した後に電話帳データベースＤＢに名前、その読み仮名、相手先の電話番号、相手先のメールアドレスまたはＵＲＬアドレスを登録する場合の処理を示すフローチャートである。この処理はＣＰＵ７の制御により実行される。
【００２３】
図３に示すように、ディスプレイ１０に表示されたコンテンツの閲覧時に、予め＜ａ  ｈｒｅｆ＝”ｍａｉｌｔｏ：ｉｎｆｏ＠ｈｔｍｑ．ｃｏｍ”＞や＜ａ  ｈｒｅｆ＝”＃ａｂｃ”＞などのタグをアンカー選択しておく。そして、ステップＳ１では、ユーザにより登録キー８ａが押された場合にその旨の登録キー信号を入力する。すなわち、ステップＳ１は、本発明の入力手段を構成し、相手先の電話番号、相手先のメールアドレスまたはＵＲＬアドレスを登録するか否かを指定するためにユーザからの信号を入力する。
【００２４】
ステップＳ２は、本発明の登録許可手段を構成し、ステップＳ１で入力した上記信号に基づいて登録を許可するか否かを判断する。すなわち、ステップＳ２では、実際にユーザにより登録キー８ａが押され、その旨の登録キー信号が入力されたか否かを判断し、登録キー信号が実際に入力されるまでは待機状態となる。したがって、ステップＳ１およびＳ２は、本発明の特定情報指定手段を構成する。
【００２５】
次いで、登録キー信号が実際に入力された場合（ステップＳ２；ＹＥＳ）には、ステップＳ３でデータアドレスフィールドＦ１のデータアドレスを取得する。
【００２６】
そして、ステップＳ４では、電話帳データベースＤＢに記憶された相手先の電話番号、相手先のメールアドレスまたはＵＲＬアドレスデータに一致するデータの存否を判断する。一致するデータが存在しない場合（ステップＳ４；ＮＯ）には、ステップＳ５で相手先の電話番号、相手先のメールアドレスまたはＵＲＬアドレスデータを電話帳データベースＤＢに登録する一方、一致するデータが存在する場合（ステップＳ４；ＹＥＳ）には、改めて相手先の電話番号、相手先のメールアドレスまたはＵＲＬアドレスデータを電話帳データベースＤＢに登録する必要がないので、アンカー選択後の登録処理を終了する。したがって、図３に示すステップＳ３〜ステップＳ５の処理が本発明の電話帳登録手段を構成する。
【００２７】
次に、図４を参照して、本実施形態の電話機において電話帳データベースＤＢに記憶された相手先の電話番号、相手先のメールアドレスまたはＵＲＬアドレスデータにアクセスするための処理について説明する。
【００２８】
まず、ステップＳ１１では、図２に示す電話帳データベースＤＢに記憶された電話帳をディスプレイ１０に表示し、名前が記録される名前フィールドＦ２内から通信先の名前を選択して表示する（ステップＳ１２）。
【００２９】
次いで、ステップＳ１３では、選択された名前のメールアドレス、電話番号またはＵＲＬアドレスのいずれかを選択する。そして、キースイッチ８の発信キー８ｂが押された場合（ステップＳ１４；ＹＥＳ）には、ステップＳ１５およびステップＳ１７でメールアドレスが選択されたか、電話番号が選択されたか、ＵＲＬアドレスが選択されたかを判断する。
【００３０】
すなわち、メールアドレスが選択された場合（ステップＳ１５；ＹＥＳ）には、ステップＳ１６でメーラを起動する。このステップＳ１５においてメールアドレスが選択されない場合（ステップＳ１５；ＮＯ）には、電話番号またはＵＲＬアドレスのいずれか一方が選択されることになる。また、電話番号が選択された場合（ステップＳ１７；ＹＥＳ）には、ステップＳ１８でダイヤル発信を行う。このステップＳ１７において電話番号が選択されない場合（ステップＳ１７；ＮＯ）には、ＵＲＬアドレスが選択されることになるので、ステップＳ１９でブラウザを起動する。
【００３１】
したがって、本実施形態では、ＣＰＵ７で実行されるステップＳ１４〜Ｓ１９の処理と、検波回路１、回線制御回路２および通話回路３とを含み機能的に送受信手段が構成される。
【００３２】
以上説明したように本実施形態によれば、インターネットを介して配信されるコンテンツがディスプレイ１０に表示されて閲覧可能な電話機において、上記コンテンツの閲覧時にディスプレイ１０に表示された電話番号、メールアドレスまたはＵＲＬアドレスを、登録キー８ａを押すことによりその登録キー信号を入力して指定し、その指定された電話番号、メールアドレスまたはＵＲＬアドレスを電話帳データベースＤＢに登録することにより、コンテンツの閲覧時にディスプレイ１０に表示された電話番号、メールアドレスまたはＵＲＬアドレスを極めて容易に登録することができる。
【００３３】
また、本実施形態によれば、電話帳データベースＤＢに通信先特定情報としての電話番号、メールアドレスおよびＵＲＬアドレスを登録するので、電話機としての使い勝手を一段と良好にすることができる。
【００３４】
さらに、本実施形態によれば、上記通信先特定情報を電話帳データベースＤＢに登録するか否かを指定するユーザからの信号を入力し、この入力した上記信号に基づいて登録を許可するようにしたので、電話帳データベースＤＢに登録する通信先特定情報をユーザの好みに応じて適宜選択することができる。
【００３５】
なお、図３および図４に示すフローチャートに対応するプログラムを、フレキシブルディスク又はハードディスクなどの情報記録媒体に記録させておき、或いは当該プログラムをインターネットなどのネットワークを介して取得した後に記録しておき、これらを汎用のマイクロコンピュータなどにより読み出して実行することにより、当該マイクロコンピュータを実施形態に係るＣＰＵ７として機能させることが可能である。
【図面の簡単な説明】
【図１】本実施形態の電話機の構成を示すブロック図である。
【図２】図１のメモリに記憶された電話帳データベースの構造を示す説明図である。
【図３】本実施形態の電話機における電話帳の登録処理を示すフローチャートである。
【図４】本実施形態の電話機において電話帳データベースに記憶された通信先特定情報にアクセスするための処理を示すフローチャートである。
【符号の説明】
１  検波回路
２  回線制御回路
３  通話回路
４  ＤＳＰ
７  ＣＰＵ
８  キースイッチ
８ａ  登録キー
８ｂ  発信キー
９  ドライバ
１０  ディスプレイ
Ｍ  メモリ
ＤＢ  電話帳データベース
【図１】
2004336587.tif 000003
【図２】
2004336587.tif 000004
【図３】
2004336587.tif 000005
【図４】
2004336587.tif 000006